(57)【要約】【課題】潤滑油の注入が容易にできる手動式ケーブルカッターの提供。【解決手段】固定ハンドルと揺動ハンドル２とカバー板３とを備え、固定ハンドルに固定切断刃のマウント部４ａを固着すると共に、固定切断刃の先端部に外側縁に歯部を形成した旋回切断刃の基端部を軸支する一方、固定切断刃のマウント部に逆転防止爪を設けると共に、揺動ハンドルに送り爪を設ける構成の手動式ケーブルカッターにおいて、カバー板と固定切断刃のマウント部に対の関係にある軸受孔１４を対向して設ける一方、揺動ハンドルの上部に上記軸受孔に嵌合する一対の円柱形ブロック１５を設けると共に、該各円柱形ブロック間に送り爪１６を偏心ピン１７を介して回動可能に軸支することにより、軸受孔の内周面と円柱形ブロックの外周面間に摩擦抵抗が生じることとなるが、軸受孔と円柱形ブロックとは外部に露呈しているので、そのままの状態で、潤滑油の注入が可能となる。【選択図】　　　　　図６
2004009199.tif 000002
【特許請求の範囲】
【請求項１】
固定ハンドルと揺動ハンドルと各ハンドルの上部連結部を隠蔽するカバー板とを備え、固定ハンドルの上部にカバー板と対向する固定切断刃のマウント部を固着すると共に、該固定切断刃の先端部に円弧状外側縁に歯部を連続形成した旋回切断刃の基端部を旋回可能に軸支する一方、固定切断刃のマウント部に逆転防止爪を回動可能に設けて、該逆転防止爪を付勢ばね圧で上記旋回切断刃の外側歯部に咬合させると共に、揺動ハンドルの上部に送り爪を回動可能に設けて、該送り爪を付勢ばね圧で旋回切断刃の外側歯部に咬合させる構成の手動式ケーブルカッターにおいて、上記カバー板と固定切断刃のマウント部に対の関係にある軸受孔を対向して設ける一方、揺動ハンドルの上部に上記対の関係にある軸受孔に嵌合する一対の円柱形ブロックを設けると共に、該各円柱形ブロック間に送り爪を偏心ピンを介して回動可能に軸支したことを特徴とする手動式ケーブルカッター。
【発明の詳細な説明】
【０００１】
【発明の属する技術分野】
本発明は、例えば、ワイヤーケーブル・電線・通信線・鉄筋バー等の各種金属ケーブルを切断する手動式ケーブルカッターに関するものである。
【０００２】
【従来の技術】
従来のこの種ケーブルカッターとして、特公平７−１００２５５号公報に示すものが存する。
該従来のケーブルカッターは、具体的には図示しないが、固定ハンドルと揺動ハンドルと各ハンドルの上部連結部を隠蔽するカバー板とを備え、固定ハンドルの上部に上記カバー板と対向する固定切断刃のマウント部を固着すると共に、該固定切断刃の先端部に円弧状外側縁に歯部を連続形成した旋回切断刃の基端部を旋回可能に軸支する一方、固定切断刃のマウント部に逆転防止爪を回動可能に設けて、該逆転防止爪を付勢ばね圧で上記旋回切断刃の外側歯部に咬合させる構成となっている。
【０００３】
又、揺動ハンドル側に対しては、その上端部側面に１個の円柱形ブロックを一体に突設して、該揺動ハンドルの円柱形ブロックを偏心ピンを介して固定切断刃のマウント部に揺動可能に軸支すると共に、円柱形プロックの外周に送り爪を回動可能に装着して、該送り爪をも付勢ばね圧で旋回切断刃の外側歯部に咬合させる構成となっている。
【０００４】
尚、この揺動ハンドルの円柱形ブロックやこれに装着される送り爪側は、その組み付け状態において、取付板で覆われた上に、更にその上からカバー板で覆われているので、完全に固定切断刃のマウント部とカバー板で画成される空間に内蔵されることとなる。
【０００５】
そして、実際の使用に際しては、開放された旋回切断刃と固定切断刃の間に画成される空域内に工作物たるケーブルを挿通し、次いで、旋回切断刃の自由端部側を上記軸支点を中心として閉塞方向に案内して、旋回切断刃と固定切断刃とでケーブルの外周を包囲した後、一対のハンドルを把持して、揺動ハンドルを連続して開閉操作すると、当該揺動ハンドルの開閉の都度、旋回切断刃の外側歯部に咬合している送り爪の空滑りと押動作用で、旋回切断刃が上記空域を零とするまで自動的に旋回移動するので、これにより、旋回切断刃と固定切断刃の対向内側縁に形成されている刃部でケーブルが切断されることとなる。尚、斯かる過程では、逆転防止爪は、送り爪と同様に、旋回切断刃の外側歯部に対する空滑りと押動作用で、旋回切断刃の逆転を防止することとなる。
【０００６】
【発明が解決しようとする課題】
従って、従来のケーブルカッターにあっては、一対のハンドルを把持して、揺動ハンドルを連続して開閉操作するだけで、ケーブルを自動的に切断できる利点を有することとなるが、揺動ハンドルに突設された円柱形ブロックと、該円柱形ブロックの外周に開口を介して装着される送り爪との回動運動においては、円柱形ブロックの外周面と送り爪の開口の内周面との摺動面接が大きくなる関係で、負荷が掛かる使用時においては、この摺動部に大きな摩擦抵抗が生じることとなるので、潤滑油を注入することが余儀なくされる。
【０００７】
しかし、当該摺動部に予め潤滑油を注入したとしても、長期使用により、潤滑油が消費されて直ぐに油切れとなって、ハンドル操作時に負荷が増して作業性を低下させることとなるので、新しい潤滑油を補給する必要が生じるが、既述した如く、揺動ハンドルの円柱形ブロックと送り爪とは、一方側では固定切断刃のマウント部で、他方側では取付板とカバー板で覆われているので、潤滑油を補給する場合には、カバー板や取付板を分解しなければならないので、補給作業が徒に大変となってしまう。
【０００８】
そこで、従来の手動式ケーブルカッターにあっては、上記した問題点を改善するために、円柱形ブロックと送り爪の摺動部にベアリングを介設して、摺動部の摩擦抵抗を減衰する構成を採用している訳であるが、ベアリングを使用することは、今度は、部品点数の増加を招くので、価格が高騰することは言うまでもないが、特に、メンテナンス時における分解作業や組立作業が徒に大変となってしまう恐れを有していた。
【０００９】
【課題を解決するための手段】
本発明は、斯かる従来の手動式ケーブルカッターが抱える課題を有効に解決するために開発されたもので、固定ハンドルと揺動ハンドルと各ハンドルの上部連結部を隠蔽するカバー板とを備え、固定ハンドルの上部にカバー板と対向する固定切断刃のマウント部を固着すると共に、該固定切断刃の先端部に円弧状外側縁に歯部を連続形成した旋回切断刃の基端部を旋回可能に軸支する一方、固定切断刃のマウント部に逆転防止爪を回動可能に設けて、該逆転防止爪を付勢ばね圧で上記旋回切断刃の外側歯部に咬合させると共に、揺動ハンドルの上部に送り爪を回動可能に設けて、該送り爪を付勢ばね圧で旋回切断刃の外側歯部に咬合させる構成の手動式ケーブルカッターにおいて、上記カバー板と固定切断刃のマウント部に対の関係にある軸受孔を対向して設ける一方、揺動ハンドルの上部に上記対の関係にある軸受孔に嵌合する一対の円柱形ブロックを設けると共に、該各円柱形ブロック間に送り爪を偏心ピンを介して回動可能に軸支する構成を採用した。
【００１０】
依って、本発明にあっては、カバー板と固定切断刃のマウント部に対の関係をもって設けられる各軸受孔の内周面と、該各軸受孔に嵌合される一対の円柱形ブロックの外周面間に、負荷が掛かる使用時には、最も大きな摩擦抵抗が生じることとなるが、この軸受孔と円柱形ブロックとは、いずれも、外部に露呈しているので、カバー板等を分解せずとも、そのままの状態で、潤滑油の注入が可能となる。
従って、潤滑油の注入補給が外部から簡単にできるので、その都度、カバー板等を分解する必要がなくなると共に、従来の如きベアリングを使用する必要も全くなくなるので、手動式ケーブルカッター自体のコスト低廉化に大きく貢献できることとなる。
【００１１】
【発明の実施の形態】
以下、本発明を図示する好適な実施の形態に基づいて詳述すれば、該実施の形態に係る手動式ケーブルカッターも、従来のものと同様に、図１乃至図４に示す如く、固定ハンドル１と揺動ハンドル２と各ハンドル１・２の上部連結部を隠蔽するカバー板３とを備え、固定ハンドル１の上部にカバー板３と対向する固定切断刃４のマウント部４ａを一体的に固着すると共に、該固定ハンドル１の先端部に円弧状外側縁に歯部５ａを連続形成した旋回切断刃５の基端部を軸６を介して旋回可能に軸支して、ケーブルを当該旋回切断刃５と固定切断刃４とで完全に包囲した状態で、各切断刃４・５の対向する内側縁に形成された受刃部７と押刃部８とで切断できる構成となっている。
【００１２】
又、固定ハンドル１と揺動ハンドル２の上部正面側は、上記した略矩形状のカバー板３で隠蔽するものとし、当該カバー板３と固定切断刃４のマウント部４ａの関係は、ねじ部材９と内周面に雌ネジを形成した筒状カラー１０とで一定の空間を画して固定するものであるが、該カバー板３の一側下端縁に切欠状のロック部１１を設けて、当該ロック部１１に後述する切替ピン２３の突片２４を係合させることにより、一対のハンドル１・２を第１捩りばね１３のばね圧に抗して閉じ合わせ状態にロックすると共に、カバー板３の一側縁に同じく切欠状のストッパー部１２を設けて、該ストッパー部１２に切替ピン２３の小径円盤部２３ｂの周面を衝突させることにより、揺動ハンドル２の揺動範囲を規制する構成となっている。
【００１３】
更に、カバー板３と固定切断刃４のマウント部４ａに対しては、図５・図６にも示す如く、各自の略中央部に対の関係にある軸受孔１４を対向して穿設する一方、揺動ハンドル２の上部側に該対の関係にある軸受孔１４に嵌合する一対の円柱形ブロック１５を一体に突設して、該各円柱形ブロック１５を対応する軸受孔１４に嵌合することにより、揺動ハンドル２をカバー板３と固定切断刃４のマウント部４ａの間に画される空間に揺動可能に軸支する構成となっている。
【００１４】
そして、カバー板３と固定切断刃４のマウント部４ａの間に画される空間に対しては、上記揺動ハンドル２に加えて、図７に示す如く、該揺動ハンドル２の各円柱形ブロック１５間に送り爪１６を偏心ピン１７を介して回動可能に設けて、該送り爪１６を第２捩りばね１８の付勢ばね圧で旋回切断刃５の外側歯部５ａに咬合させる一方、この送り爪１６の近傍に逆転防止爪１９を軸２０を介して回動可能に設けて、該逆転防止爪１９をも第３捩りばね２１の付勢ばね圧で旋回切断刃５の外側歯部５ａに咬合させる構成となっている。
【００１５】
これに加えて、送り爪１６と逆転防止爪１９の近傍に、上記した筒状カラー１０の一つを利用して、送り爪１６と逆転防止爪１９を同期して旋回切断刃５の外側歯部５ａから強制的に後退させる解除レバー２２を回動可能に設けると共に、揺動ハンドル２の解除レバー２２寄りの部分に形成された貫通孔内に切替ピン２３を回転可能且つスライド可能に装着する構成となっている。
【００１６】
この切替ピン２３は、一端部側に操作部となる大径円盤部２３ａと突片２４を形成した小径円盤部２３ｂとを一体に有し、不使用時には、切替ピン２３をカバー板３方向に引き上げて、小径円盤部２３ｂの突片２４を回転させながらカバー板３のロック部１１に係合させれば、一対のハンドル１・２を第１捩りばね１３の付勢ばね圧に抗して閉じ合わせ状態にロックし、使用時は、逆に、ロック部１１に対する係合を解除して、切替ピン２３を固定切断刃４のマウント部４ａ方向に押し込めば、揺動ハンドル２の開閉操作を許容することとなるが、斯かる状態において、切替ピン２３を回転して、その突片２４をカバー板３と固定切断刃４のマウント部４ａの間に画された空間内に臨ましめて、揺動ハンドル２を開方向へ揺動させると、図８に示す如く、当該突片２４で解除レバー２２が時計方向に回動して、送り爪１６と逆転防止爪１９とを各付勢ばね圧に抗して旋回切断刃５の外側歯部５ａから後退させる構成となっている。尚、切替ピン２３の他端側には抜け外れを防止する膨出部２３ｃが形成されている。
【００１７】
依って、斯かる構成の手動式ケーブルカッターを用いて、各種ケーブル（図示せず）を切断する場合には、切替ピン２３を固定切断刃４のマウント部４ａ方向に押し下げて、その突片２４のカバー板３のロック部１１に対する係合を解除する状態を得て、開放された旋回切断刃５と固定切断刃４の間に画成される空域内にケーブルを挿通し、次いで、旋回切断刃５の自由端部をカバー板３と固定切断刃４のマウント部４ａの間に案内して、旋回切断刃５と固定切断刃４とでケーブルを完全に包囲した後、一対のハンドル１・２を把持して、揺動ハンドル２を開閉操作すると、揺動ハンドル２の開閉の都度、旋回切断刃５の外側歯部５ａに咬合している送り爪１６の空滑りと押動作用で、旋回切断刃５が上記空域を零とするまで自動的に旋回移動するので、これにより、旋回切断刃５と固定切断刃４の対向内側縁に形成されている押刃部８と受刃部７とで、ケーブルが切断されることとなる。又、この切断過程では、逆転防止爪１９は、送り爪１６と同様に、旋回切断刃５の外側歯部５ａに対する空滑りと押動作用で、旋回切断刃５の逆転を防止することとなる。
【００１８】
尚、揺動ハンドル２は、その各円柱形ブロック１５の対応する軸受孔１４に対する嵌合部を支点として揺動する関係で、カバー板３と固定切断刃４のマウント部４ａに対の関係をもって設けられる軸受孔１４の内周面と、該各軸受孔１４に嵌合される一対の円柱形ブロック１５の外周面間に、負荷が掛かる使用時には、最も大きな摩擦抵抗が生じることとなるが、この軸受孔１４と円柱形ブロック１５とは、いずれも、外部に露呈しているので、カバー板３等を分解せずとも、そのままの状態で、その嵌合摺動部に潤滑油の注入が可能となる。
【００１９】
従って、潤滑油の注入補給が外部から簡単にできるので、その都度、カバー板３等を分解する必要がなくなると共に、従来の如きベアリングを使用する必要もなくなるので、手動式ケーブルカッター自体のコスト低廉化に大きく貢献できることとなる。
【００２０】
又、本実施の形態の下でも、送り爪１６と偏心ピン１７間で回動運動が行なわれることとなるが、従来のものと比較すれば、その摺動面接が頗る小さく摩擦抵抗をそれ程問題とする必要がないので、組み立て時に、潤滑油を注入するだけで十分である。
【００２１】
【発明の効果】
以上の如く、本発明は、上記構成の採用により、カバー板と固定切断刃のマウント部に対の関係をもって設けられる各軸受孔の内周面と、該各軸受孔に嵌合される一対の円柱形ブロックの外周面間に、負荷が掛かる使用時には、最も大きな摩擦抵抗が生じることとなるが、この軸受孔と円柱形ブロックとは、いずれも、外部に露呈しているので、カバー板等を分解せずとも、そのままの状態で、潤滑油の注入が可能となる。
従って、潤滑油の注入補給が外部から簡単にできるので、その都度、カバー板等を分解する必要がなくなると共に、従来の如きベアリングを使用する必要も全くなくなるので、手動式ケーブルカッター自体のコスト低廉化に大きく貢献できることとなる。
【図面の簡単な説明】
【図１】本発明の実施の形態に係る手動式ケーブルカッターを一部切欠して示す分解斜視図である。
【図２】同正面図である。
【図３】同背面図である。
【図４】同側面図である。
【図５】軸受孔と円柱形ブロックと送り爪と偏心ピンと切替ピンの関係を示す要部分解斜視図である。
【図６】図５の組み立て断面図である。
【図７】送り爪と逆転防止爪が旋回切断刃の外側歯部に咬合している状態を示す要部拡大説明図である。
【図８】送り爪と逆転防止爪が旋回切断刃の外側歯部から後退した状態を示す要部拡大説明図である。
【符号の説明】
１　　　固定ハンドル
２　　　揺動ハンドル
３　　　カバー板
４　　　固定切断刃
４ａ　　マウント部
５　　　旋回切断刃
５ａ　　外側歯部
６　　　軸
７　　　受刃部
８　　　押刃部
９　　　ねじ部材
１０　　筒状カラー
１１　　ロック部
１２　　ストッパー部
１３　　第１捩りばね
１４　　軸受孔
１５　　円柱形ブロック
１６　　送り爪
１７　　偏心ピン
１８　　第２捩りばね
１９　　逆転防止爪
２０　　軸
２１　　第３捩りばね
２２　　解除レバー
２３　　切替ピン
２３ａ　大径円盤部
２３ｂ　小径円盤部
２３ｃ　膨出部
２４　　突片
【図１】
2004009199.tif 000003
【図２】
2004009199.tif 000004
【図３】
2004009199.tif 000005
【図４】
2004009199.tif 000006
【図５】
2004009199.tif 000007
【図６】
2004009199.tif 000008
【図７】
2004009199.tif 000009
【図８】
2004009199.tif 000010